(57)【要約】【課題】  複数の人が食事ごとでも簡単手軽で安全に料理の保温保冷および素早い片付けができ、電源の無い屋外などででも使用ができるコードレス式保温保冷装置を提供する。【解決手段】  載置された食物を加熱又は冷却するプレート４と、プレート４を内側から加熱又は冷却するためのペルチェ素子６と、接続された電池側充電端子８を介して供給される電源を充電するとともに、前記充電した電源に基づいて生成した動作電流をペルチェ素子６へ供給する充電式電池７とを有するコードレスの１以上の保温保冷マット２と、各保温保冷マット２を装着可能な１以上のマットセット部３とを備える。【選択図】図４
2006102234.tif 000002
【特許請求の範囲】
【請求項１】
載置された食物を加熱又は冷却するプレートと、前記プレートを内側から加熱又は冷却するための加熱冷却部と、接続された電池側充電端子を介して供給される電源を充電するとともに、前記充電した電源に基づいて生成した動作電流を前記加熱冷却部へ供給する充電式電池とを有するコードレスの１以上の保温保冷マットと、
前記各保温保冷マットを装着可能な１以上のマットセット部と、前記マットセット部に装着された前記保温保冷マットにつき電池側充電端子を介して前記電源を供給するため充電器側充電端子とを有する充電器と、
を備えることを特徴とするコードレス式保温保冷装置。
【請求項２】
前記加熱冷却部は、ペルチェ素子であること
を特徴とする請求項１記載のコードレス式保温保冷装置。
【請求項３】
前記保温保冷マットは、前記加熱冷却部の表面を放熱させるためのファンをさらに備えること
を特徴とする請求項１又は２記載のコードレス式保温保冷装置。
【請求項４】
前記プレートは、前記保温保冷マットの表裏に設けられ、
前記加熱冷却部は、食物が載置された何れか一のプレートを加熱又は冷却すること
を特徴とする請求項１〜３の何れか１項記載のコードレス式保温保冷装置。
【請求項５】
複数の前記プレートは、同一の保温保冷マット上に、或いは互いに異なる保温保冷マット上に配設され、
前記加熱冷却部は、前記各プレートをそれぞれ加熱又は冷却すること
を特徴とする請求項１〜３の何れか１項記載のコードレス式保温保冷装置。
【請求項６】
前記保温保冷マットは、前記加熱冷却部による前記プレートへの加熱又は冷却を切り替えるための切替部をさらに備えること
を特徴とする請求項１〜５の何れか１項記載のコードレス式保温保冷装置。
【請求項７】
前記電池充電端子は、前記プレートの何れかの側面に配設されてなり、
前記マットセット部は、前記プレートの側面に配設された前記電池充電端子と前記充電器側充電端子とが接続可能となるように前記保温保冷マットが立て掛け配置されること
を特徴とする請求項１〜６の何れか１項記載のコードレス式保温保冷装置。
【発明の詳細な説明】
【技術分野】
【０００１】
本発明は、ダイニングテーブル、キッチンテーブルなどに置いて、暖かい料理等が冷めないように保温し、冷たい料理が暖かくならないように保冷することができるコードレス式保温保冷装置、コードレス式保温装置およびコードレス式保冷装置に関する。
【背景技術】
【０００２】
従来一般的な家庭での料理の保温保冷は次に述べるような状態にある。
【０００３】
近年、キッチンルームが大型化し、リビングやダイニングへ開放した間取りも普及している。また調理方法も和洋東西多彩を極め、料理を作りたての最も美味しい温度で味わい続けるためのニーズも強くなっている。
【０００４】
その影響から、料理の途中にあるいは完成品の保温保冷について、キッチンカウンター上は勿論、収納棚やダイニングテーブル等、場所の制約を受けずに行うこと、または保温保冷機器を増やすことが望まれている。
【０００５】
しかし、一般家庭では加熱手段としての電子レンジ、保温手段としての保温プレート、保冷手段としての冷蔵庫等があるにすぎず、調理の途中あるいはダイニングテーブル等、好適きな場所で簡単容易に保温保冷する機器はなかった。
【０００６】
前述した保温プレートは小型である場合でも、電源コードの制約を受け、一般的に調理の途中キッチンカウンター上で使用されることはないし、ダイニングテーブルに複数人夫々に複数の保温プレートを置いたのでは電源コードがテーブル上を這いまわることになり、景観の悪さとコードの引っ掛けなど危険も多く使用し難いものであった。
【０００７】
保冷手段は一般家庭においては、冷蔵庫以外は冷蔵庫の氷で冷やす、冷蔵庫で凍結させたり冷やした保冷剤で冷やす以外にはなく、冷蔵庫の氷も量が不安定であり、保冷剤も冷蔵庫内で嵩張るし必ずあるというものでもなく、必要なときに必要な分使用できるものではなかったし、長時間使用できるものでもなかった。
【０００８】
このような中で、主に家庭においてどこでも何時でも簡単で安全に使える料理の保冷保温機器の開発が望まれている。
【０００９】
料理を保温あるいは保冷する従来技術として下記特許文献に開示された技術が知られている。
【特許文献１】特開２００４−１０５５８９号公報
【特許文献２】実用新案登録第３０９８１９８号公報
【特許文献３】特開平１１−２７６３５８号公報＜特許文献１の技術＞  ペルチェ素子の加熱側を下面とし冷却側を上面として、外部電源に接続される電源プラグと電源コードを備えてなる冷熱マットの技術。＜特許文献２の技術＞  冷却ブライン循環カイロからの冷媒が流れる冷却パイプをテーブルに配置した、食肉の串刺し作業などを行う冷却作業台の技術。＜特許文献３の技術＞  調理物を置く部位にペルチェ素子から冷却風や温風を送る、調理物を置く部位の下部や上部ペルチェ素子を設けて調理物を冷却したり暖めたりする構成で、外部電源に接続される電源プラグと電源コードを備えてなる調理物保温器の技術。
【発明の開示】
【発明が解決しようとする課題】
【００１０】
前述した従来技術はいずれも電源コードを有しているための電源コンセントのある場所での使用に限られ、ダイニングテーブルに数個置いての使用では電源コードがテーブル上を這いまわるので食卓の景観を著しく損なう、他の料理の置く場所を制約する、食事中にコードを引っ掛ける危険がある、例え小型であったとしても片付けて収納する場合にも電源コードのまとめという煩雑な作業を強いられ且つ電源コードの分だけ収納場所を取る、取り出すときにも電源コードの引っ掛かりなど使用感が悪い、ダイニングテーブル上に複数個を立て置く場合にも電源ケーブルが景観を悪くするので置き難いという欠点を有するものであった。
【００１１】
ダイニングテーブル上に常置きしておいて食事ごとに手軽に使用するには、その都度の電源コードの引き回しと片付けが必要であり、電源ケーブルがテーブル景観を悪くするので、食事ごとに手軽には使用でき難いという欠点を有するものであった。
特に、電源コンセントの遠いあるいは無い場所では使用できないという欠点があった。
【００１２】
本発明は以上のような従来技術の欠点に鑑みてなされたものであって、その目的は、常にダイニングテーブル上に置いても該テーブル上の景観を損なうことなく、複数の人が食事ごとでも簡単手軽で安全に料理の保温保冷および素早い片付けができ、電源の無い屋外などでも使用ができるコードレス式保温保冷装置、コードレス式保温装置およびコードレス式保冷装置を提供することを目的としている。  本発明は主に家庭でのダイニングテーブルやキッチンでの料理の使用を想定しているが、これにとどまらず、料理のまな板などの調理台として使用するものなども技術的範疇に含むものである。
【課題を解決するための手段】
【００１３】
本発明に係る上記目的を達成するために、本発明は次のような構成となっている。
【００１４】
本発明に係る請求項１記載の発明は、載置された食物を加熱又は冷却するプレートと、前記プレートを内側から加熱又は冷却するための加熱冷却部と、接続された電池側充電端子を介して供給される電源を充電するとともに、前記充電した電源に基づいて生成した動作電流を前記加熱冷却部へ供給する充電式電池とを有するコードレスの１以上の保温保冷マットと、前記各保温保冷マットを装着可能な１以上のマットセット部と、前記マットセット部に装着された前記保温保冷マットにつき電池側充電端子を介して前記電源を供給するため充電器側充電端子とを有する充電器と、を備える。
【００１５】
本発明に係る請求項２記載の発明は、請求項１記載のコードレス式保温保冷装置において、前記加熱冷却部を、ペルチェ素子としている。
【００１６】
本発明に係る請求項３記載の発明は、請求項１又は２記載のコードレス式保温保冷装置において、前記加熱冷却部の表面を放熱させるためのファンをさらに備えている。
【００１７】
本発明に係る請求項４記載の発明は、請求項１〜３の何れか１項記載のコードレス式保温保冷装置において、前記プレートを、前記保温保冷マットの表裏に設け、前記加熱冷却部は、食物が載置された何れか一のプレートを加熱又は冷却する。
【００１８】
本発明に係る請求項５記載の発明は、請求項１〜３の何れか１項記載のコードレス式保温保冷装置において、複数のプレートを、同一の保温保冷マット上に、或いは互いに異なる保温保冷マット上に配設し、これを加熱又は冷却する。
【００１９】
本発明に係る請求項６記載の発明は、請求項１〜５の何れか１項記載のコードレス式保温保冷装置において、前記保温保冷マットは、前記加熱冷却部による前記プレートへの加熱又は冷却を切り替えるための切替部をさらに備える。
【００２０】
本発明に係る請求項７記載の発明は、請求項１〜６の何れか１項記載のコードレス式保温保冷装置において、前記電池充電端子は、前記プレートの何れかの側面に配設されてなり、前記マットセット部は、前記プレートの側面に配設された前記電池充電端子と前記充電器側充電端子とが接続可能となるように前記保温保冷マットを立て掛け配置させる。
【発明の効果】
【００２１】
以上の説明から明らかなように、本発明にあっては次に列挙する効果が得られる。
【００２２】
＜請求項１記載の発明の効果＞
本発明のコードレス式保温保冷装置は、食物を保温したり保冷したりできるコードレスの複数の充電式の保温保冷マットと、この複数の保温保冷マットを同時にセットし充電することができる充電器とからなっているので、常にダイニングテーブル上に置いても該テーブル上の景観を損なうことなく、複数の人が食事ごとでも簡単手軽で安全に料理の保温保冷および素早い片付けができるという効果を得ることができる。
【００２３】
特に、ダイニングテーブルから電源コンセントが遠い場合、屋外など電源の無い場所や遠い場所などでも場所を選ばず、保温保冷マットを持ち出し使用できるという効果を得ることができる。
【００２４】
＜請求項２記載の発明の効果＞
前記加熱冷却部を、ペルチェ素子としているため、保温保冷マットを小型薄型にできるという効果を得ることができる。
【００２５】
＜請求項３記載の発明の効果＞
前記加熱冷却部の表面を放熱させるためのファンをさらに備えているため、加熱冷却部による保温、保冷をより効率的に実行することが可能となる。
【００２６】
＜請求項４記載の発明の効果＞
加熱と冷却をプレートの表裏で実行することができるため、マットを表裏を上面とすることにより保温か保冷のいずれか一方を選択して使用できるという効果を得ることができる。
【００２７】
＜請求項５記載の発明の効果＞
複数のプレートを、同一の保温保冷マット上に、或いは互いに異なる保温保冷マット上に配設し、これを加熱又は冷却する。
【００２８】
このため、一方のプレートで食物を温め、他方のプレートで食物を冷却することも可能となる。例えば、第３の実施の形態の保温保冷マット３４ａの２連結とする構成では、保冷・保冷、保冷・保温、保温・保温という多様な使用ができる。
【００２９】
＜請求項６記載の発明の効果＞
加熱冷却部によるプレートへの加熱又は冷却を切り替えるための切替部をさらに備える。
【００３０】
このため、マットの向きを変えることなく、保冷とするか保温とするかを選択できるという効果を得ることができる。
【００３１】
＜請求項７記載の発明の効果＞
電池充電端子は、プレートの何れかの側面に配設されており、マットセット部は、プレートの側面に配設された電池充電端子と充電器側充電端子とが接続可能となるように前記保温保冷マットを立て掛け配置させる。
【００３２】
このため、多数のプレートにおける充電式電池をスペースを取ることなく同時に充電することが可能となる。
【発明を実施するための最良の形態】
【００３３】
以下に本発明を実施するための最良の形態により本発明を詳細に説明する。但し、本発明をこれらのみに限定するものではない。
【００３４】
＜第１の実施の形態＞
図１ないし図４に示す本発明を実施するための最良の第１の実施の形態において１はコードレス式保冷装置であって、このコードレス式保冷装置１は１以上の保冷マット２ａ〜２ｅと、この複数の保冷マット２ａ〜２ｅを同時に充電できる充電器３とからなっている。
【００３５】
保冷マット２ａ〜２ｅは主に、料理を置いて保冷する冷却プレート４と、この冷却プレート４を吸熱部５を介して内側から冷却又は加熱するペルチェ素子６と、このペルチェ素子６を動作させる電流を供給するニッケル水素バッテリーやリチウムイオンバッテリーなどの充電式電池７と、この充電式電池７の充電するための電池側充電端子８と、冷却プレート４に載置された料理あるいは料理を入れた器の温度を検出する温度検出センサ９と、ペルチェ素子６の放熱部１９を冷却する風を送るファン１１と、制御ボタン１２ａ〜１２ｅ、設定温度や料理温度などを表示する表示部１３、冷却プレート４の温度制御などをはじめ必要な制御を行う制御部１４とを筐体１８内部に実装して構成されている。
【００３６】
充電器３は、保冷マット２ａ〜２ｅを同時にセットできる１以上のマットセット部１５ａ〜１５ｅと、このマットセット部１５ａ〜１５ｅにセットされた保冷マット２ａ〜２ｅの夫々の電池側充電端子８に接続されて充電式電池７に充電をするための充電器側充電端子１６と、外部電源に接続するプラグ１７と、当該充電器３を制御するための制御ユニット６１とを備えている。
【００３７】
図２、４に示す冷却構造について説明する。
【００３８】
上部側に冷却プレート４が配置され、この冷却プレート４の下部にペルチェ素子６（「放熱部側をＨ、吸熱側をＤ」で示す）上部の吸熱部５を密着させて設けられ、ペルチェ素子６の下部の放熱部１９には放熱フィン体２０が密着されファン１１からの送風がフィン２１の間に形成される排気孔２２を通って熱を放出する。なおこのファン１１は、ペルチェ素子６の表面を放熱させるために用いてもよいし、またこのファン１１の構成は省略してもよい。
【００３９】
冷却プレート４の背面に設けられた温度検出センサ９は、かかる冷却プレート４の温度を検出する。また、この温度検出センサ９は、検出した温度情報を制御部１４へ送信する。
【００４０】
制御部１４は、温度検出センサ９から送信される温度情報を識別する。そして、この制御部１４は、温度情報として表される冷却プレートの温度と、制御ボタン１２を介してユーザにより設定された温度とを比較し、当該比較結果に応じて、充電式電池７の出力電圧を上げる旨の制御信号、或いはかかる出力電圧を下げる旨の制御信号を生成する。
【００４１】
充電式電池７は制御部１４から送信された上記制御信号に基づき、ペルチェ素子６へ動作電流を供給する。その結果、ペルチェ素子６は、制御部１４により指定された電流に基づいて冷却プレート４から熱を吸収又は放出し、これに応じて冷却プレート４の温度は上下することになる。
【００４２】
また、冷却プレート４の温度は随時温度検出センサ９を介して制御部１４に通知され、上述の動作が繰り返されることになる。これにより、冷却プレート４の温度が、ユーザにより設定された温度に至るまでフィードバック制御することが可能となる。
【００４３】
なお、このコードレス式保冷装置１において、冷却プレート上に載置された料理や器の冷却温度を制御ボタン１２を介してユーザが任意に設定することができる他に、冷却時間をも自在に設定することができる。例えば、ユーザにより冷却時間が短時間となるように設定された場合に、制御部１４は、温度検出センサ９により生成された温度情報に基づく冷却プレート４の温度から、ユーザ指定の温度に至るまで大きな温度勾配となるように制御信号を生成する。これにより、ペルチェ素子６が冷却プレート４から吸収（放出）する熱量が大きくなるところ、当該冷却プレート４は急速にユーザ指定の温度に近づくことになる。
【００４４】
これに対して、ユーザにより冷却時間が長時間となるように設定された場合に、制御部１４は、温度検出センサ９により生成された温度情報に基づく冷却プレート４の温度から、ユーザ指定の温度に至るまで小さな温度勾配となるように制御信号を生成する。これにより、ペルチェ素子６が冷却プレート４から吸収（放出）する熱量が小さくなるところ、当該冷却プレート４はゆっくりとユーザ指定の温度に近づくことになる。
【００４５】
なお、制御部１４は、温度検出センサ９より通知された温度情報を表示部１３を介して随時表示させるようにしてもよい。また、何れか一の制御ボタン１４につき、前記冷却プレート４に対する加熱又は冷却を切り替える機能を担わせておくことにより、ユーザによる制御ボタン１４の押圧操作一つで、簡単に加熱又は冷却を切り替えることも可能となる。
【００４６】
ちなみに、上述の充電式電池７に接続される電池側充電端子８は、冷却プレート４のいずれかの側面に配設されてなる。保冷マット２は、充電時において図３に示すように、電池側充電端子８が下向きになるようにを立て掛け配置される。これにより、充電器側充電端子１６と電池側充電端子８とが接続可能となるため、充電式電池７への充電が実現されることになる。なお、充電式電池７は、充電時において、制御ユニット６１による制御の下、プラグ１７を介して外部から受給した電源を電池側充電端子８を介して受給することができる。
【００４７】
特に本発明を適用した保冷マット２は、飲食店等で適用する場合に枚数が大量に必要となり、多数の保冷マット２を効率よく充電する必要も生じるが、このように立て掛け配置することができるコードレス式保冷装置１では、スペースを取ることなくこれらを同時に充電することが可能となる。
【００４８】
なお、上述した実施の形態においては、冷却プレート４を介して食品を冷却する構成について説明をしたが、これに限定されるものではなく、ペルチェ素子６における電流の方向を切り替えることにより、冷却プレート４を加熱するようにしてもよい。これにより、いわゆるコードレス式保温装置を形成することができる。
【００４９】
充電器３はケースタイプとしたり、充電器３に保冷マットをセットしたまま収納するケースを設けたりするのがよい。こうすることにより、移動や携帯が行いやすくなり、アウトドアなどで自動車の電源に接続しての充電しての使用など、より広い利用を可能とする。
【００５０】
以下に説明する本発明を実施するための実施の形態においては、前述してある実施の形態の構成と同じ構成については同じ符号を付しその説明を省略する。
【００５１】
＜第２の実施の形態＞
図５に示す本発明を実施するための第２の実施の形態において前記本発明を実施するための第１の実施の形態と主に異なる点は、表側に冷却プレート４を設け裏側に加熱プレート２５を設けてなる、保冷と保温のいずれかを選択して使用できる保温保冷マット２６ａ〜２６ｅを形成した点にある。
【００５２】
保温保冷マット２６ａ〜２６ｅはより具体的には、表側に設けられた冷却プレート４と、裏側に設けられた加熱プレート２５と、冷却プレート４を冷却する吸熱部５を該４に密着させてなるペルチェ素子６と、加熱プレート２５を加熱する放熱部１９を該２５に密着させてなるペルチェ素子２７と、ペルチェ素子６とペルチェ素子２７の間に設けられた放熱フィン体２０と、筐体１８の表裏の四隅に設けられた脚２８と、表裏のそれぞれの脚２８の一つあるいは複数に設けられた電源スイッチ２９ａ、２９ｂとから構成されている。
【００５３】
下側となってテーブルに接する側は電源スイッチ２９が押圧状況に応じて所定の電気信号が制御部１４に送信される仕組みとなっている。制御部１４は、係る電源スイッチ２９の押圧に基づく電気信号が送信された場合に、充電式電池７への制御信号の送信を停止する。その結果、ペルチェ素子６から冷却プレート４への伝熱も停止することになる。これに対して、上側は電源スイッチ２９が付勢力により押し出され、これに基づく電気信号に応じて制御部１４はペルチェ素子６による伝熱動作が実現されるように、これを制御する。
【００５４】
また、電源スイッチ２９を設けることなく、ペルチェ素子２７とペルチェ素子６に電流を流し、内側で熱の奪い合いが行われるようにするのも良い。この場合、放熱フィン体は夫々のペルチェ素子に別体で設けて、そのフィン同士は非接触としてその隙間に送風が流れるようにするのがよい。
【００５５】
このような冷却プレートと加熱プレートが別体である形態では、冷却プレートは青色、加熱プレートは赤色とするなど分かりやすい色分けをするのがよい。
【００５６】
＜第３の実施の形態＞
図６に示す本発明を実施するための第３の実施の形態において前記本発明を実施するための第１の実施の形態と主に異なる点は、保温機能と保冷機能を同じプレートで行える加熱冷却プレート３３とした保温保冷マット３４ａ〜３４ｅを形成した点にある。
【００５７】
保温保冷マット３４ａ〜３４ｅはより具体的には、多数の指体３５が整列されたような形態で各指体３５の吸熱部５を加熱冷却プレート３３に密着されてなるペルチェ素子３６と、指体３５の間に指体３７を配置するようにして各指体３７の放熱部１９を加熱冷却プレート３３に密着されてなるペルチェ素子３８と、ペルチェ素子３６とペルチェ素子３８の下部側に密着された放熱フィン体２０とからなっている。
【００５８】
ペルチェ素子３６を動作させると加熱冷却プレート３３は冷却されて保冷プレートとなり、ペルチェ素子３８を動作させると加熱冷却プレート３３は加熱されて保温プレートになる。
【００５９】
このような形態では、プレートに温度により色が変化する素材などを使用するのが分かりやすい。
【００６０】
保温保冷マット３４ａ〜３４ｅを完全防水形態として濡れても散水するキッチンでの使用に耐えるようにするとか、保温保冷マット３４ａ〜３４ｅの一枚をあるいは別途加えて、まな板としての使用に耐える素材および頑丈な構成であるものとするのもよい。
【００６１】
＜第４の実施の形態＞
図７、８に示す本発明を実施するための第４の実施の形態において前記本発明を実施するための第１の実施の形態と主に異なる点は、保冷マット２ａ〜２ｅや保温保冷マット２６ａ〜２６ｅや保温保冷マット３４ａ〜３４ｅに接続端子４１を設け、他の保冷マットや保温マットや保冷保温マットなどの他のマット４２を別体の接続ケーブル４３で接続して使用できるようにした点にある。なお、この他のマット４２の構成については、上述の保冷マット２と同一の構成であるため、ここでの説明を省略する。
【００６２】
接続端子４１は、図８に示すように制御部１４に接続され、かかる制御部４１による制御に基づいてこの接続端子４１、接続ケーブル４３を介して信号が送受信されることになる。
【００６３】
例えば、接続された保冷マット２と他のマット４２間において同一の温度設定にする場合には、保冷マット２における制御部１４から接続端子４１、接続ケーブル４３を介してその旨を通知するための信号が送られることになる。他のマット４２における制御部５１は、かかる信号に基づいて、冷却プレートが保冷マット２と同一の温度となるような制御信号を生成し、これを充電式電池７へと送る。これにより、保冷マット２と他のマット４２との間で冷却プレートは同一温度に設定され、同一の料理を大量に同時保冷（保温）することが可能となる。
【００６４】
また、接続された保冷マット２と他のマット４２間において異なる温度設定にする場合も同様に制御部１４から接続端子４１、接続ケーブル４３を介してその旨の信号を送信することでこれを実現することができ、異なる調理条件が必要な料理を異なる温度設定で同時保冷（保温）することが可能となる。
【００６５】
同様の手法に基づいて保冷マット２と他のマット４２間において、いずれか一方のみを動作させるようにしてもよいことは勿論である。
【００６６】
また、他マット４２の表裏の四隅に脚２８を設けて、他マット４２を保冷マット２ａ上に載せ置いて使用できるようにするのもよい。
【００６７】
＜第５の実施の形態＞
図９に示す本発明を実施するための第５の実施の形態において前記本発明を実施するための第１の実施の形態と主に異なる点は、保冷マット２ａ〜２ｅや保温保冷マット２６ａ〜２６ｅや保温保冷マット３４ａ〜３４ｅに他の保冷マットや保温マットや保冷保温マットなどの他マット４２を一体的に設けた２枚マット装置４６ａ〜４６ｅを形成した点にある。
【００６８】
以上の実施の形態では電源として充電式電池７を用いるコードレス形態を説明してきたが、メタノールなどの燃料充填式の燃料電池を用いるようにしてもよい。
【００６９】
燃料の充填の仕方は、燃料電池側に設けられた燃料カートリッジ装填部に着脱自在に装填する、単一電池から単三電池程度の大きさの燃料カートリッジによる交換式とするなどがよい。
【００７０】
また、充電器３のマットセット部１５の壁をセットする保冷マット２と同じ程度にして、その内側にマットを加熱し、或いは冷却するための図示しないマット加熱部やマット冷却部を設けるようにしてもよい。このように充電器３に加熱機能や冷却機能を持たせることと、充電器３を覆うようなあるいはその冷気や暖気を受けるケース体や枠体を設けたり、冷気や暖気を当てる機能を設けることにより、充電器を例えば飲料の保冷や保温装置とすることが可能となる。
【００７１】
また、保冷マット２充電中にペルチェ素子６を動作させることにより、保冷マット２を加熱し、或いは冷却しておくことができるようにしてもよい。このような機能に対して、上述の如く充電器３を覆うようなあるいはその冷気や暖気を受けるケース体や枠体を設け、さらに冷気や暖気を飲料などに当てる機構を設けることにより、保温保冷ケースを形成することができる。
【産業上の利用可能性】
【００７２】
本発明は電化製品、キッチン製品を製造する産業で利用される。
【図面の簡単な説明】
【００７３】
【図１】本発明を適用した第１の実施の形態の保冷マットの斜視図である。
【図２】本発明を適用した第１の実施の形態の冷却構造図である。
【図３】本発明を適用した第１の実施の形態のコードレス式保冷装置の斜視図である。
【図４】本発明を適用した第１の実施の形態におけるブロック構成を示す図である。
【図５】本発明を適用した第２の実施の形態の加熱冷却構造図である。
【図６】本発明を適用した第３の実施の形態の加熱冷却構造図である。
【図７】本発明を適用した第４の実施の形態のマットの斜視図である。
【図８】本発明を適用した第４の実施の形態におけるブロック構成を示す図である。
【図９】本発明を適用した第５の実施の形態のマットの斜視図である。
【符号の説明】
【００７４】
１  コードレス式保冷装置
２ａ〜２ｅ  保冷マット
３  充電器
４  冷却プレート
５  吸熱部
６  ペルチェ素子
７  充電式電池
８  電池側充電端子
９  温度検出センサ
１０  放熱部
１１  ファン
１２ａ〜１２ｅ  制御ボタン
１３  表示部
１４  制御部
１５ａ〜１５ｅ  マットセット部
１６  充電器側充電端子
１７  プラグ
１８  筐体
１９  放熱部
２０  放熱フィン体
２１  フィン
２２  排気孔
２５  加熱プレート
２６ａ〜２６ｅ  保温保冷マット
２７  ペルチェ素子
２８  脚
２９ａ、２９ｂ  電源スイッチ
３３  加熱冷却プレート
３４ａ〜３４ｅ  保温保冷マット
３５  指体
３６  ペルチェ素子
３７  指体
３８  ペルチェ素子
４１  マット接続端子
４２  他マット
４３  接続ケーブル
４６ａ〜４６ｅ  ２枚マット装置
【図１】
2006102234.tif 000003
【図２】
2006102234.tif 000004
【図３】
2006102234.tif 000005
【図４】
2006102234.tif 000006
【図５】
2006102234.tif 000007
【図６】
2006102234.tif 000008
【図７】
2006102234.tif 000009
【図８】
2006102234.tif 000010
【図９】
2006102234.tif 000011